(57)【要約】      （修正有）【課題】  ２７個のユニットから構成されたベンチを組み合わせ、積み重ねて意匠的に優れたコンパクトな収納形態の立方体を形作る事ができるベンチを提供する。【解決手段】  立方体の１人掛け椅子２７個それぞれを一つのユニットとしてユニット２個を連結させた２人掛けベンチ３台、ユニット３個を連結させた３人掛けベンチ４台、ユニット３個をＬ字型に配列して連結させた３人掛けＬ字型ベンチ３台の３つの構成部材を用いて立方体を形成する事を特徴としたベンチである。【選択図】図２
2006305277.tif 000002
【特許請求の範囲】
【請求項１】
立方体の１人掛け椅子２７個それぞれを一つのユニットとしてユニット２個を連結させた２人掛けベンチ３台、ユニット３個を連結させた３人掛けベンチ４台、ユニット３個をＬ字型に配列して連結させた３人掛けＬ字型ベンチ３台の３つの構成部材を用いて立方体を形成するベンチ。
【請求項２】
請求項目１記載の３つの構成部材の中の３台の２人掛けベンチについては連結した側面部の１つのユニット側面部に円形凹部を設け、一方のユニットにはその面と直角に接する側面部に前記円形凹部と勘合する円形凸部を設け、４台の３人掛けベンチの中の３台のベンチについては連結した側面部の一端に前記の円形凹部と同じ内径の凹部を設け、同一側面部の他の一端には前記の円形凹部と勘合する円形凸部を設け、残り１台は凹凸部を設けず、３台の３人掛けＬ字型ベンチについては一端のユニット中央側面部に前記の円形凹部と同じ内径の円形凹部を設け、そのユニットに直角に位置するユニットの中央側面部には前記の円形凹部と勘合する円形凸部を設けて横ずれを防止するベンチ。
【発明の詳細な説明】
【技術分野】
【０００１】  本発明は２７個のユニットで構成されたベンチを組み合わせ、意匠性に優れ積み重ねても安全なコンパクトな立方体を形作る事ができるベンチに関するものである。
【背景技術】
【０００２】  近年、建築空間では多目的ホールなど、使用目的を限定しない空間を設けて多様な使用に対応している。状況に応じて一時的な椅子、ベンチ等の移動、収納が頻繁に行なわれ、これまでは壁際に積む、物品庫に収納するといった方法で処理されてきた。
【発明の開示】
【発明が解決しようとする課題】
【０００３】  そのため不用の椅子、ベンチの収納場所が必要とされ、壁際に積む手法は美観を損ない、また椅子、ベンチを単に積み重ねても容易に崩れ危険である。
本発明はこれらの問題点を解決するため安全で意匠性に優れコンパクトな収納形態のベンチを提供する点にある。
【課題を解決するための手段】
【０００４】  請求項目１に関る立方体を形成するベンチは立方体の１人掛け椅子２７個それぞれを一つのユニットとしてユニット２個を連結させた２人掛けベンチ３台、ユニット３個を連結させた３人掛けベンチ４台、ユニット３個をＬ字型に配列して連結させた３人掛けＬ字型ベンチ３台の３つの構成部材を用いて立方体を形成する事を特徴としている。【０００５】  請求項目２に関る横ずれを防止するベンチは前記の３つの構成部材の中の３台の２人掛けベンチについては連結した側面部の１つのユニット側面部に円形凹部を設け、一方のユニットにはその面と直角に接する側面部に前記の円形凹部と勘合する円形凸部を設ける。４台の３人掛けベンチの中の３台のベンチについては連結した側面部の一端に前記の円形凹部と同じ内径の凹部を設け、同一側面部の他の一端には前記の円形凹部と勘合する円形凸部を設け、残り１台は凹凸部を設けない。３台の３人掛けＬ字型ベンチについては一端のユニット中央側面部に前記の円形凹部と同じ内径の円形凹部を設け、そのユニットと直角に位置するユニットの中央側面部には前記の円形凹部と勘合する円形凸部を設ける事を特徴とするベンチである。
【発明の効果】
【０００６】  請求項目１に関る立方体を形成するベンチは特異な形状の３つの構成部材を用いる事で立方体の組み合わせ、組み立てが容易になる。また通常のベンチとして使用する場合も使用目的及び人数に応じて容易にかつ自在に組み換えが可能であり、機能性利便性に優れたベンチである。【０００７】  請求項目２に関る横ずれを防止するベンチは３つの構成部材に嵌合する円形凹凸部を設ける事で横ずれ防止が可能となり安全性、意匠性に優れたコンパクトな収納形態を有するベンチとなる。【０００８】  立方体は三次元空間を数量的に表わす時の基本的な単位物体である。６つの面全てが正方形で辺の長さも等しく、角度も全て直角、これほどバランスの取れた立体はなく、三次元空間で生活する我々にとって自然に受け入れられる合理的形体といって良い。２７個のユニットが規則正しく積み重ねられた立方体もまた意匠性に優れ、バランスのとれた外観で美しく、装飾的な効果がある。
【発明を実施するための最良の形態】  以下、本発明の実施例を図３、図４を用いて説明する。【０００９】  ３人掛けベンチ１′を支柱として垂直に立てこの３人掛けベンチ１′を取り囲むように３人掛けＬ字型ベンチ２と２人掛けベンチ３を置く。３人掛けＬ字型ベンチ２の円形凸部ｂを２人掛けベンチ３の円形凹部ａに嵌入し、次に３人掛けベンチ１の円形凹部ａ、円形凸部ｂを各々２人掛けベンチ３の円形凸部ｂ、３人掛けＬ字型ベンチ２の円形凹部ａに勘合させる。【００１０】  ３人掛けベンチ１を前記の３人掛けベンチ１と平行になるように図４における下段に積み重ね、続いて２人掛けベンチ３の円形凹部ａに３人掛けＬ字型ベンチ２の円形凸部ｂが嵌入するよう２部材を下段に積み重ね嵌合させる。２人掛けベンチ３の円形凸部ｂと３人掛けＬ字型ベンチ２の円形凹部ａを各々３人掛けベンチ１の円形凹部ａ、円形凸部ｂに嵌合させる。【００１１】  ３人掛けベンチ１を図４における中段の３人掛けベンチ１に平行になるよう積み重ね、続いて２人掛けベンチ３の円形凹部ａに３人掛けＬ字型ベンチ２の円形凸部ｂが嵌入するよう２部材を中段に積み重ね嵌合させる。２人掛けベンチ３の円形凸部ｂと３人掛けＬ字型ベンチ２の円形凹部ａを各々３人掛けベンチ１の円形凹部ａ、円形凸部ｂに嵌合させる。【００１２】  ユニットの内部構造は１２の側辺部に二等辺三角形のスミ木で補強する構造とし、ユニットのサイズは使い易さを考慮して適宜設定すれば良い。【００１３】  本発明の実施形態は木板のユニットを例に説明したが材質を特定するものではなく、たとえば樹脂板、金属板などを用いても形成でき、またその表面に模様や着色したりする事も可能である。【００１４】  立方体を設置する場所等を考慮して図４における上段の３人掛けベンチ１のと３人掛けＬ字型ベンチ２が嵌合する側面部と直角に接する外側面部、３人掛けベンチ１と２人掛けベンチが嵌合する側面部と直角に接する外側面部各々に止め金具を用いて突き合わせ面を固定させる事も適宜設定すれば良い。【００１５】  使い易さを考慮してユニット側面部に凹凸の取っ手を付ける事は適宜設定すれば良い。
【図面の簡単な説明】
【００１６】
【図１】ユニットの斜視図
【図２】２７個のユニットで構成したベンチで組み立てた立方体の斜視図
【図３】嵌合する凹部ａ、凸部ｂを入れた３つの構成部材の斜視図
【図４】図２を分解した状態の斜視図
【図５】一例として３つの構成部材を用いて組み合わせたベンチの斜視図
【符号の説明】
【００１７】１    ３人掛けベンチ
１′  ３人掛けベンチ
２    ３人掛けＬ字型ベンチ
３    ２人掛けベンチ
Ａ    ユニット
ａ    円形凹部ａ
ｂ    円形凸部ｂ
【図１】
2006305277.tif 000003
【図２】
2006305277.tif 000004
【図３】
2006305277.tif 000005
【図４】
2006305277.tif 000006
【図５】
2006305277.tif 000007